(57)【要約】【課題】カラー通信での差別化を図ること。【解決手段】カラー情報を通信可能なファクシミリ装置おいて、受信機から送信機に、ＪＰＥＧ符号化情報の受信機能の有無を通知する手段、色空間がＬａｂであるフルカラー情報の受信機能の有無を通知する手段、色空間がｓＹＣＣであるフルカラー情報の受信機能の有無を通知する手段、送信機から受信機に、ＪＰＥＧ符号化情報の送信を指定する手段、色空間がＬａｂであるフルカラー情報の送信を指定する手段、色空間がｓＹＣＣであるフルカラー情報の送信を指定する手段、送信機側にてカラーファイル情報を送信する手段を有し、カラーファイル情報の送信時が選択時、相手受信機に色空間ｓＹＣＣであるフルカラーの受信機能があると、色空間ｓＹＣＣでファイル情報を変更する事無く送信し、相手受信機に色空間ｓＹＣＣであるフルカラー受信機能が無いと色空間Ｌａｂであるフルカラー受信機能の有無で表示を変える。【選択図】  図１
2004200806.tif 000002
【特許請求の範囲】
【請求項１】
カラーファイル情報を通信可能なファクシミリ装置おいて、受信機から送信機に、ＪＰＥＧ符号化情報の受信機能の有無を通知する手段、色空間がＬａｂであるフルカラー情報の受信機能の有無を通知する手段、色空間がｓＹＣＣであるフルカラー情報の受信機能の有無を通知する手段、送信機から受信機に、ＪＰＥＧ符号化情報の送信を指定する手段、色空間がＬａｂであるフルカラー情報の送信を指定する手段、色空間がｓＹＣＣであるフルカラー情報の送信を指定する手段、送信機側にてカラーファイル情報を送信する手段を有し、カラーファイル情報の送信時が選択時、相手受信機に色空間ｓＹＣＣであるフルカラーの受信機能があると、色空間ｓＹＣＣでファイル情報を変更する事無く送信し、相手受信機に色空間ｓＹＣＣであるフルカラー受信機能が無いと色空間Ｌａｂであるフルカラー受信機能の有無で表示を変えることを特徴とするファクシミリ装置。
【請求項２】
カラーファイル情報の送信時で相手受信機に色空間ｓＹＣＣであるフルカラー受信機能が無い場合、相手受信機に色空間Ｌａｂであるフルカラー受信機能が有ると、色空間Ｌａｂでなら受信可能である旨を表示し、相手受信機に色空間Ｌａｂであるフルカラー受信機能が無いと、ファイル情報の通信を中断する旨を表示することを特徴とする請求項１に記載のファクシミリ装置。
【請求項３】
カラーファイル情報の送信時で相手受信機に色空間ｓＹＣＣであるフルカラー受信機能が無い場合、相手受信機に色空間Ｌａｂであるフルカラー受信機能が有ると、色空間ＬａｂでＡ４サイズの情報であれば受信可能である旨を表示する事を特徴とする請求項２に記載のファクシミリ装置。
【請求項４】
カラーファイル情報の送信時に、送信ファイルの色空間がＬａｂと指定があった場合は、相手受信機に色空間Ｌａｂであるフルカラーの受信機能があると、色空間Ｌａｂでファイル情報を変更する事無く送信し、相手受信機に色空間Ｌａｂであるフルカラー受信機能が無いと、ファイル情報の通信を中断することを特徴とする請求項１、２または３に記載のファクシミリ装置。
【請求項５】
カラーファイル情報の送信時は、色空間ｓＹＣＣであれば任意サイズの情報送信が可能であり、一方、色空間Ｌａｂであれば、Ａ４サイズの情報送信が可能であることを特徴とする請求項１、２、３または４に記載のファクシミリ装置。
【発明の詳細な説明】
【０００１】
【発明の属する技術分野】
本発明は、ファクシミリ装置、特に、モノクロ画情報を送信可能なファクシミリ装置に関するものである。
【０００２】
【従来の技術】
従来のファクシミリ装置は、モノクロ画情報を送信する装置が主体であった。
しかしながら、パソコン、プリンタのカラー化に伴い、カラー情報の通信ニーズが高まってきている。
【０００３】
現在のカラー情報の送信はＩＴＵ−Ｔ勧告Ｔ．８２で規定されているＪＰＥＧ符号化にて、ＩＴＵ−Ｔ勧告Ｔ．４２の色空間Ｌａｂでフルカラー情報の送信を実行していた。送信機、受信機ともにスタンドアローンのファクシミリ装置であれば、これで良かった。
【０００４】
また、デジタルカメラで撮影した情報の送信をするためにカードスロットを有し、例えば、コンパクトフラッシュ（登録商標）カードに記憶されているデジタルカメラで撮影した情報（色空間ｓＹＣＣのファイル情報）を送信したいというニーズがあったが、この情報も色空間Ｌａｂに変換してカラーファクシミリ画情報として送信していた。あくまでも、通信はカラーファクシミリ画情報として送信していた。
【０００５】
【発明が解決しようとする課題】
しかしながら、上記、従来例では、送信するカラーファクシミリ情報の色空間はＬａｂを使用しているが、例えば、デジタルカメラで撮影したカラー情報の色空間はｓＹＣＣである。また、パソコンにてカラー情報を表示する場合の色空間はｓＹＣＣである。
【０００６】
よって、デジタルカメラで撮影した情報、あるいは、パソコンにて表示している情報をファクシミリ送信する時は、一度、ｓＹＣＣの色空間をＲＧＢまで戻して、再度、色空間をＬａｂに変換して送信しなければならず非常に手間であり、また、この変換での画質劣化が発生するという欠点があった。
【０００７】
また、従来のカラー通信は、カラーファイル情報のみを送信する事は考えられていなく、常に、色空間Ｌａｂでのカラーファクシミリ通信ができる事が条件であった。すなわち、モノクロファクシミリ通信可能なファクシミリ装置がカラーファイル情報を送信する事ができないという大きな欠点があった。
【０００８】
【課題を解決するための手段】
第１の本発明によれば、カラーファイル情報を通信可能なファクシミリ装置おいて、受信機から送信機に、ＪＰＥＧ符号化情報の受信機能の有無を通知する手段、色空間がＬａｂであるフルカラー情報の受信機能の有無を通知する手段、色空間がｓＹＣＣであるフルカラー情報の受信機能の有無を通知する手段、送信機から受信機に、ＪＰＥＧ符号化情報の送信を指定する手段、色空間がＬａｂであるフルカラー情報の送信を指定する手段、色空間がｓＹＣＣであるフルカラー情報の送信を指定する手段、送信機側にてカラーファイル情報を送信する手段を有し、カラーファイル情報の送信時が選択時、相手受信機に色空間ｓＹＣＣであるフルカラーの受信機能があると、色空間ｓＹＣＣでファイル情報を変更する事無く送信し、相手受信機に色空間ｓＹＣＣであるフルカラー受信機能が無いと色空間Ｌａｂであるフルカラー受信機能の有無で表示を変える事が可能になった。第２の本発明によれば、第１の本発明において、カラーファイル情報の送信時で相手受信機に色空間ｓＹＣＣであるフルカラー受信機能が無い場合、相手受信機に色空間Ｌａｂであるフルカラー受信機能が有ると、色空間Ｌａｂでなら受信可能である旨を表示し、相手受信機に色空間Ｌａｂであるフルカラー受信機能が無いと、ファイル情報の通信を中断する旨を表示する事が可能になった。第３の本発明によれば、第２の本発明において、カラーファイル情報の送信時で相手受信機に色空間ｓＹＣＣであるフルカラー受信機能が無い場合、相手受信機に色空間Ｌａｂであるフルカラー受信機能が有ると、色空間ＬａｂでＡ４サイズの情報であれば受信可能である旨を表示する事が可能になった。第４の本発明によれば、第１、２、３の本発明において、カラーファイル情報の送信時に、送信ファイルの色空間がＬａｂと指定があった場合は、相手受信機に色空間Ｌａｂであるフルカラーの受信機能があると、色空間Ｌａｂでファイル情報を変更する事無く送信し、相手受信機に色空間Ｌａｂであるフルカラー受信機能が無いと、ファイル情報の通信を中断する事が可能になった。第５の本発明によれば、第１、２、３、４の本発明において、カラーファイル情報の送信時は、色空間ｓＹＣＣであれば任意サイズの情報送信が可能であり、一方、色空間Ｌａｂであれば、Ａ４サイズの情報送信が可能である事が可能になった。
【０００９】
これらにより、モノクロ画情報のファクシミリ通信が可能なファクシミリ装置で、デジタルカメラで撮影し、例えば、コンパクトフラッシュカードを介して入力した色空間ｓＹＣＣのカラーファイル情報を、変更せず、相手受信機に送信でき、モノクロ画情報の通信しかできないファクシミリ装置でカラーのファイル情報の送信が可能になり、ファクシミリ画情報の送信はモノクロで実行して、デジタルカメラで撮影した情報は自機にカラー通信機能がなくても、通信でき、安価なファクシミリ装置で、デジタルカメラで撮影した色空間ｓＹＹＣのカラーファイル情報の送信が可能になりユーザには、とても使い易くなった。
【００１０】
また、相手受信機が色空間ｓＹＣＣでのフルカラー受信機能が無く、色空間Ｌａｂのフルカラー受信機能があると、色空間Ｌａｂで、Ａ４サイズの情報にすれば、送信できる事を表示し、ユーザがコンパクトフラシュに格納されている情報をＰＣ等を使用して、上記情報に変換した時、カラーファクシミリ画情報として送信できユーザには使い易くなった。
【００１１】
【発明の実施の形態】
「実施形態１」
以下、図面に示す実施の形態に基づいて、本発明を詳細に説明する。
【００１２】
図１には、本発明の実施の形態であるファクシミリ装置がブロック図として図示されている。
【００１３】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１４】
４は、電話機である。
【００１５】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１６】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１７】
１０は、発呼回路であり、バス２６からの信号により、電話番号情報を入力し、信号線１０ａにＤＴＭＦの選択信号を出力する。
【００１８】
１２は、加算回路であり、信号線８ａの情報と信号線１０ａの情報を入力し、加算した結果を信号線１２ａに出力する。
【００１９】
１４は、カラー読み取りはせず、モノクロ読み取りのみ可能な読取回路であり、読み取りデータをバス２６に出力する。
【００２０】
１６は、カラー記録はせず、モノクロ記録のみ可能な記録回路であり、バス２６に出力されている情報を順次１ライン毎に記録する。
【００２１】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００２２】
２０は、操作部であり、ワンタッチダイヤル、短縮ダイヤル、テンキー、＊キー、＃キー、スタートキー、ストップキー、セットキー、ファイル情報の送信を選択するキー、色空間Ｌａｂでのファイル情報送信選択キー、その他のファンクションキーがあり、押下されたキー情報はバス２６に出力される。
【００２３】
操作部には、表示部があり、バス２６に出力されている情報を入力し、表示する。
【００２４】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２５】
２６は、バスである。
【００２６】
２８は、カードインターフェイスである。
【００２７】
３０は、コンパクトフラッシュカードである。
【００２８】
図２には、本発明により、新規にＩＴＵ−Ｔ勧告Ｔ．３０に追加するプロトコルを表している。
【００２９】
ＤＩＳ／ＤＴＣ信号のＦＩＦの６８ビットにより、ＪＰＥＧ受信機能の有無を通知し、ＤＣＳ信号のＦＩＦの６８ビットにより、ＪＰＥＧ送信を指定をする。
【００３０】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００３１】
また、ＤＩＳ／ＤＴＣ信号のＦＩＦのＸビットにより、色空間はｓＹＣＣであるフルカラー受信機能の有無を通知し、ＤＣＳ信号のＦＩＦのＸビットにより、色空間はｓＹＣＣであるフルカラー送信を指定をする。
【００３２】
２４は、カラーファイル情報を通信可能なファクシミリ装置おいて、受信機から送信機に、ＪＰＥＧ符号化情報の受信機能の有無を通知する手段、色空間がＬａｂであるフルカラー情報の受信機能の有無を通知する手段、色空間がｓＹＣＣであるフルカラー情報の受信機能の有無を通知する手段、送信機から受信機に、ＪＰＥＧ符号化情報の送信を指定する手段、色空間がＬａｂであるフルカラー情報の送信を指定する手段、色空間がｓＹＣＣであるフルカラー情報の送信を指定する手段、送信機側にてカラーファイル情報を送信する手段を有し、カラーファイル情報の送信時が選択時、相手受信機に色空間ｓＹＣＣであるフルカラーの受信機能があると、色空間ｓＹＣＣでファイル情報を変更する事無く送信し、相手受信機に色空間ｓＹＣＣであるフルカラー受信機能が無いと色空間Ｌａｂであるフルカラー受信機能の有無で表示を変える。具体的には、カラーファイル情報の送信時で相手受信機に色空間ｓＹＣＣであるフルカラー受信機能が無い場合、相手受信機に色空間Ｌａｂであるフルカラー受信機能が有ると、色空間Ｌａｂでなら受信可能である旨を表示し、相手受信機に色空間Ｌａｂであるフルカラー受信機能が無いと、ファイル情報の通信を中断する旨を表示する。より具体的には、カラーファイル情報の送信時で相手受信機に色空間ｓＹＣＣであるフルカラー受信機能が無い場合、相手受信機に色空間Ｌａｂであるフルカラー受信機能が有ると、色空間ＬａｂでＡ４サイズの情報であれば受信可能である旨を表示する。
【００３３】
また、カラーファイル情報の送信時に、送信ファイルの色空間がＬａｂと指定があった場合は、相手受信機に色空間Ｌａｂであるフルカラーの受信機能があると、色空間Ｌａｂでファイル情報を変更する事無く送信し、相手受信機に色空間Ｌａｂであるフルカラー受信機能が無いと、ファイル情報の通信を中断する。
【００３４】
ここで、カラーファイル情報の送信時は、色空間ｓＹＣＣであれば任意サイズの情報送信が可能であり、一方、色空間Ｌａｂであれば、Ａ４サイズの情報送信が可能である。
【００３５】
以上の制御プログラムが格納されている。
【００３６】
図３、図４、図５、図６には、図１の制御の流れ図が図示されている。
【００３７】
図３において、Ｓ０は、始めを表している。
【００３８】
Ｓ２は、バス２６を介して、メモリ１８をイニシャライズする事を表している。
【００３９】
Ｓ４は、バス２６を介して、操作部の表示部をクリアする事を表している。
【００４０】
Ｓ６では、バス２６を介してＮＣＵ２のCMLをオフする。
【００４１】
Ｓ８では、操作部の情報を入力しファイル情報の送信が選択されたか否かが判断されＹＥＳであるとＳ１４に進み、ＮＯであるとＳ１０に進む。
【００４２】
Ｓ１０では、原稿情報の送信が選択されたか否かが判断されＹＥＳであるとＳ４８に進み、ＮＯであるとＳ１２に進み、その他の処理をする。
【００４３】
Ｓ１４では、バス２６を介して、ＮＣＵ２のＣＭＬをオンする。
【００４４】
Ｓ１６は、バス２６を介して指定された宛先へ発呼する事を表している。
【００４５】
Ｓ１８は前手順を表している。
【００４６】
Ｓ２０では、操作部の情報を入力して、色空間Ｌａｂでのカラー送信が選択されたか否かが判断され、ＹＥＳであるとＳ４０に進み、ＮＯであるとＳ２２に進む。
【００４７】
Ｓ２２では、ＤＩＳ信号のＦＩＦの６８ビットとＸビットはともに１であるか否かが判断され、ＹＥＳであるとＳ２４に進み、ＮＯであるとＳ３０に進む。
【００４８】
Ｓ２４は、残りの前手順を表している。ここで、ＤＣＳ信号のＦＩＦの６８、Ｘビットを１とする。また、６９ビットを０とする。
【００４９】
Ｓ２６は、コンパクトフラッシュカードに格納されているカラーファイル情報をそのまま送信する事を表している。ここで、主走査方向の任意サイズもＯＫとする。
【００５０】
Ｓ２８は、後手順を表している。
【００５１】
Ｓ３０では、ＤＩＳ信号のＦＩＦの６８ビットと６９ビットはともに１であるか否かが判断され、ＹＥＳであるとＳ３２に進み、ＮＯであるとＳ３６に進む。
【００５２】
Ｓ３２では、バス２６を介してＮＣＵ２のＣＭＬをオフする。
【００５３】
Ｓ３４では、バス２６を介して、操作部の表示部に、「コンパクトフラッシュカードの情報を色空間Ｌａｂとして、主走査方向にＡ４サイズとすれば、ファイル送信できます。」と表示する。ここで、何らかのキー操作でこの表示を消去する。
【００５４】
Ｓ３６では、バス２６を介してＮＣＵ２のＣＭＬをオフする。
【００５５】
Ｓ３８では、バス２６を介して、操作部の表示部に、「カラーファイル情報の通信を中断します。」と表示する。ここで、何らかのキー操作でこの表示を消去する。
【００５６】
Ｓ４０では、ＤＩＳ信号のＦＩＦの６８ビットと６９ビットはともに１であるか否かが判断され、ＹＥＳであるとＳ４２に進み、ＮＯであるとＳ３６に進む。
【００５７】
Ｓ４２は、残りの前手順を表している。ここで、ＤＣＳ信号のＦＩＦの６８、６９ビットを１とする。また、Ｘビットを０とする。
【００５８】
Ｓ４４は、コンパクトフラッシュカードに格納されているカラーファイル情報をそのまま送信する事を表している。ここで、主走査方向はＡ４サイズとする。
【００５９】
Ｓ４６は、後手順を表している。
【００６０】
Ｓ４８では、バス２６を介して、ＮＣＵ２のＣＭＬをオンする。
【００６１】
Ｓ５０は、バス２６を介して指定された宛先へ発呼する事を表している。
【００６２】
Ｓ５２は前手順を表している。ここで、ＤＣＳ信号のＦＩＦの６８、６９、Ｘビットは全て０とする。
【００６３】
Ｓ５４は、モノクロ画信号のファクシミリ送信の実行を表している。
【００６４】
Ｓ５６は、後手順を表している。
【００６５】
【他の実施形態】
以上、本発明の実施形態について詳述したが、本発明は、複数の機器から構成されるシステムに適用しても良いし、また、一つの機器からなる装置に適用しても良い。
【００６６】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００６７】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００６８】
その場合、プログラムの機能を有していれば、オブジェクトコード、インタプリタにより実行されるプログラム、ＯＳに供給するスクリプトデータ等、プログラムの形態を問わない。
【００６９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００７０】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００７１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００７２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００７３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００７４】
【発明の効果】
本発明によれば、モノクロ画情報のファクシミリ通信が可能なファクシミリ装置で、デジタルカメラで撮影し、例えば、コンパクトフラッシュカードを介して入力した色空間ｓＹＣＣのカラーファイル情報を、変更せず、相手受信機に送信でき、モノクロ画情報の通信しかできないファクシミリ装置でカラーのファイル情報の送信が可能になり、ファクシミリ画情報の送信はモノクロで実行して、デジタルカメラで撮影した情報は自機にカラー通信機能がなくても、通信でき、安価なファクシミリ装置で、デジタルカメラで撮影した色空間ｓＹＹＣのカラーファイル情報の送信が可能になりユーザには、とても使い易くなった。
【００７５】
また、相手受信機が色空間ｓＹＣＣでのフルカラー受信機能が無く、色空間Ｌａｂのフルカラー受信機能があると、色空間Ｌａｂで、Ａ４サイズの情報にすれば、送信できる事を表示し、ユーザがコンパクトフラシュに格納されている情報をＰＣ等を使用して、上記情報に変換した時、カラーファクシミリ画情報として送信できユーザには使い易くなった。
【図面の簡単な説明】
【図１】本発明によるファクシミリ装置の実施例のブロック図である。
【図２】本発明によるプロトコルの具体例を示す図である。
【図３】本発明による制御の流れ図である。
【図４】本発明による制御の流れ図である。
【図５】本発明による制御の流れ図である。
【図６】本発明による制御の流れ図である。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュカード
【図１】
2004200806.tif 000003
【図２】
2004200806.tif 000004
【図３】
2004200806.tif 000005
【図４】
2004200806.tif 000006
【図５】
2004200806.tif 000007
【図６】
2004200806.tif 000008